(57)【要約】【課題】  パチンコ遊技場等で各遊技台の上方に設置するに適した表示灯であって、離れた位置からでも見やすく、外観的に変化に富んだ形状とすることができ、かつその下側に防犯機器や装飾品等を設置するスペースが得られる表示灯を提供すること。【解決手段】    支柱と、基部が前記支柱に取り付けられ前記支柱から横方向に伸びる左右１対の照明灯ケースを備え、前記左右１対の照明灯ケースが、基部を中心として上下に傾斜させて所定角度で固定可能である表示灯。【選択図】  図５
2006344417.tif 000002
【特許請求の範囲】
【請求項１】
支柱と、内部に発光体が収容された左右１対の照明灯ケースとを備え、該１対の照明灯ケースは、それぞれの基部が前記支柱に取り付けられて該支柱から横方向に張り出すように支持されるとともに、その基部を中心として上下に回動させて所定角度で固定可能に設けられていることを特徴とする表示灯。
【請求項２】
支柱が前後に傾斜可能である請求項１に記載の表示灯。
【発明の詳細な説明】
【技術分野】
【０００１】
本発明は、パチンコ遊技店で遊技機の上部等に設置して、各遊技機の状況を店員や客に知らせるために使用するに適した表示灯（もしくは照明装置）に関するものである。
【背景技術】
【０００２】
パチンコ機やスロット機を設置している遊技店では、遊技機の周辺を照明するための照明装置を各遊技機の上に設置していることが多い。この照明装置は、主として遊技機の前面付近を照明するものであるが、離れた位置からでも見えるので、その照明色等で各遊技機の状況を表示する表示灯としての機能を付加したものもある。
【０００３】
従来のこの種の照明装置は、各遊技機ごとに設けられるものであるが、照明灯の高さが高すぎると、遊技機の前面付近の照度が不足し、低過ぎると邪魔になるので、遊技機の直上部か、又は数百ｍｍ程度高い位置に設置している。なお、遊技機用の照明装置としては、特許文献１、特許文献２に記載されているようなものもある。
【０００４】
【特許文献１】特開平１０−２２５５５９号公報
【特許文献２】特開２０００−４８６３７号公報
【０００５】
上記特許文献１に記載のものは、遊技台（遊技機）の上部に載置する頭部ケーシングと、該頭部ケーシングから前記遊技台の両側に垂下する脚部とを備えた遊技台用化粧枠を設け、前記頭部ケーシングの正面パネルに照明灯を装着したものである。また、上記特許文献２に記載の照明装置は、パチンコ島の上縁に沿って設けられた照明装置であって、上面を開口して内部に照明灯を収容した所定長さの照明灯収容部の上面開口部の上方に反射板とスピーカボックスを配置したものである。
【発明の開示】
【発明が解決しようとする課題】
【０００６】
上記特許文献１に記載のものは、遊技台の化粧枠の正面パネルに照明灯を設けたものであるので、遊技台の状況を遠いところから見れるように表示する表示灯としては適していないものであり、位置が固定されているので、変化に乏しかった。また、上記特許文献２に記載のものは、笠を備えた従来の照明装置に比べて照明効果が良いとされているが、このものも照明装置が固定されているので、変化に乏しく、照明装置によって遠くから各遊技台の状況を知ることができるものではなかった。
【０００７】
さらに、遊技機の上方に設けられているフレーム上に横長の照明灯を支柱で支持したものもあるが、遊技台の上方に防犯装置等の機器を設置する場合に邪魔になるという問題点があった。
【０００８】
そこで本発明は、上記遊技店等に設置される従来の照明装置を改良し、防犯機器等の設置の邪魔にならず、デザイン的に変化に富んでおり、しかも遊技機の入賞、不正行為等の状況を素早く店員（ホールスタッフ）に情報伝達することができ、客とのトラブル防止を図る上で効果的な表示灯を提供することを課題としている。
【課題を解決するための手段】
【０００９】
本発明は、上記課題を解決するため、次のような表示灯を提供する。すなわち、請求項１に記載の表示灯は、支柱と、内部に発光体が収容された左右１対の照明灯ケースとを備え、該左右１対の照明灯ケースは、それぞれの基部が前記支柱に取り付けられて該支柱から横方向に張り出すように支持されるとともに、その基部を中心として上下に回動させて所定角度で固定可能に設けられていることを特徴としている。また、請求項２に記載の表示灯は、上記請求項１に記載の表示灯において、さらに支柱が前後に傾斜可能であることを特徴としている。
【発明の効果】
【００１０】
請求項１に記載の表示灯は、内部に発光体を収納した照明灯ケースが左右に張り出すように支柱に取り付けられていて、その基部を中心として上下に回動可能であり、所定の角度で固定可能となっているので、左右の照明灯ケースの自由端部を上方へ持ちあげることにより、あたかも両翼を広げた鳥のような形状とすることができ、遠くから見やすく、デザイン的に変化に富んだものとすることができる。また、左右に伸びる照明灯ケースの自由端部側を持ちあげて固定することができるので、その下側に形成される空間に必要な機器や装飾品を設置することができる。さらに、請求項２に記載の表示灯は、支柱を前後に傾斜させることができるので、照明灯ケースの上下角度を調整することができ、実用上より効果的なものとなる。
【発明を実施するための最良の形態】
【００１１】
以下、本発明の実施形態について具体的に説明する。図１は本発明に係る表示灯を例示するもので、この表示灯１は、支柱１０と該支柱の上端部に取り付けられた左右１対の照明灯ケース４０，４０からなり、パチンコ機Ｍの上部に設けられている呼び出しランプＬの上側に設置されている。
【００１２】
支柱１０は、図１１に示すように、支柱本体１１と、前カバー１２と、後カバー１３と、左右１対のブラケット１４，１４とからなる。支柱本体１１は、溝状の部材として形成され、その下端部には左右に張り出すベース１５，１５が一体に設けられている。このベース１５のビス穴１５ａに挿入したビスで遊技機上方のフレームに固定される。
【００１３】
前カバー１２は、上部１２ａが概略扇型で、下部１２ｂはそれよりも幅の狭い直線状となっている。前カバー１２の裏側の外周縁部には該カバーの板面から直角に起立する縁板部１４が一体に成形され、その内側は凹部となっていて、内面上にリブ１２ｄ，１２ｄが設けられるとともに、複数の螺子穴付きの筒体１７，…が外周縁に沿って設けられている。また、前カバー１２の中央上端部に若干の間隔をおいて左右１対の筒体１８，１８が設けられている。この筒体１８のの中空部は前カバー１２の前面に開口している。さらに、前カバー１２の上部１２ａには左右１対の円弧状の溝１６，１６が形成されている。図中の１９ａ，１９ｂは、窓状の開口である。
【００１４】
後カバー１３は、前カバー１２と同様に上部１３ａが概略扇型で、下部１３ｂが幅の狭い直線状となっている。この後カバー１３の外周部には、前記前カバー１２の筒体１７と対向する位置に螺子穴２０，…が設けられている。後カバー１３の上部には円弧状の溝２１，２１が左右対称的に設けられていて、その溝に沿って位置決め用の複数の凹部２２，…が所定間隔で設けられている。
【００１５】
ブラケット１４は、図７に示すように、２本のアーム３０，３１を備えた二股状の部材であり、基部と一方のアーム３０の先端部に筒軸３４，３５が設けられている。また、ブラケット１４の基部には、上記とは別の筒軸３６が設けられている。さらに、アーム３１の先端部には、背面側へ突出する軸３８と板状突起３９が設けられている。軸３８は、所定長さだけその軸方向に移動可能となっている。
【００１６】
次に、左右１対の照明灯ケース４０，４０は、断面角型の筒体であり、内部に発光体としてそれぞれ複数個（例えば３個）の発光素子が収納されている。また、この照明灯ケース４０は、透明ないし半透明の樹脂等で製作され、レンズ機能を有するものである。上記発光素子に通電することにより照明が行われるが、煩雑さを避けるため、電気配線等は省略してある。なお、用途によっては、点灯・点滅させるようにすると、店員の注意を引きやすいので、より効果的である。照明灯ケース４０の背面部には、上下に筒軸４１，４２が設けられている。一方の軸４１は照明灯ケース４０の基部側端部の上側に設けられ、他方の軸４２はそれよりも中央寄りの下側に設けられている。図１０中の４３は、窓状の開口である。
【００１７】
左右の照明灯ケース４０，４０は、その基部を互いに突き合わせた状態で支柱１１の上部に取り付けられている。この取り付けは、照明灯ケース４０の基部に突設した端部側の軸４１を前カバー１２の筒体１８に挿入し、下側の軸４２は前カバー１２の円弧状の溝１６に挿入する。次に、前記左右１対のブラケット１４，１４を取り付ける。この取り付けは、前カバー１２の通孔から突出している軸４１をブラケット１４の基部の筒軸３４に嵌合し、下側の軸４２をブラケット１４の筒軸３５に嵌合する。
【００１８】
照明灯ケース４０を取り付けた上記前カバー１２を支柱本体１１に当てがい、さらにその背面から後カバー１３を取り付ける。この取り付けは、前カバー１２の筒体１７と後カバー１３のねじ穴２０を重ね合わせてビスで固定することにより行う。なお、前カバー１２と支柱本体１１の位置決めは、前カバー１２に設けられているリブ１５，１５によって行われる。
【００１９】
この組み付け状態では、後カバー１３の円弧状の溝２１，２１に左右のブラケット１４の板状突起３９が移動自在に嵌合し、先端部は後カバー１３から背面に突出する。また、ブラケット１４の軸３８が位置決め用の凹部２２，…の列に沿って移動可能となる。そして、後カバー１３の背面側へ突出している板状突起３９をつまんで円弧状の溝２１に沿って移動させることにより、照明灯ケース４０の傾斜角度を調節することができ、軸３８を上記凹部２２，…のいずれかに嵌合させることにより、照明灯ケース４０を所望の傾斜角度で固定することができる。軸３８は、ブラケット１４の弾性を利用して凹部２２に嵌り込むようにしてもよく、螺子式に前進させて凹部２２に押し込むようにしてもよい。要は、照明灯ケース４０を所望の角度で固定できれる構造であればよい。
【００２０】
次に、図１２は、前後に表示灯を傾斜可能とした例を表すもので、支柱１０の基部に横軸５０が設けられ、支柱の上部が当該横軸５０によって回動自在に支持されている。また、図示を省略した固定手段により、所望の前傾姿勢で支柱を固定することができる。このようにしておけば、最も適した前後傾斜角度で照明をおこなうことができるので、実用上便利である。
【００２１】
この表示灯１は、図１３に示すように、各遊技機（パチンコ機、スロット機等）Ｍの上側に設置するもので、既設の呼び出しランプＬよりも上方のフレームＦに設置されている。上記実施形態の表示灯１は、遊技機からの電源供給は受けず、独自に設けた電源により稼働して、大当たり、確率変動、スタート等の情報端子に接続するか、又は呼び出しランプＬの大当たり、確率変動、スタート、不正等の情報出力を入力して点灯・点滅させるように構成されている。遊技機に付設される従来の照明装置は、支柱の両側の照明灯が水平に固定されていたので、変化に乏しく、しかも照明装置設置部に防犯機器等を設置することができなかった。これに対し、この表示灯１は、左右の照明灯ケース４０，４０を、支柱１０に対する取り付け点を中心として上下に回動させて傾斜状態とすることができるので、例えば遊技機の単位列（「島」と呼ばれる）ごとに角度を変えてデザイン的に変化に富んだものとすることができる。さらに、左右に長い照明灯ケース４０の自由端部を持ちあげることにより、その下側に空間を形成することができるので、その空間を利用して防犯機器等を設置することが可能である。
【００２２】
なお、以上の説明では、表示灯１を遊技機の上方に設置する例について述べたが、他の場所に設置してもよく、遊技店以外の場所の照明に利用することもできる。さらに、上記実施形態では、発光体として発光素子（発光ＬＳＤ）を用いているが、小電球等、他の発光体を用いてもよい。
【産業上の利用可能性】
【００２３】
本発明の表示灯は、金属やプラスチック材料を利用して工業生産的に製造することが可能であり、遊技場等における照明の分野で大いに活用することができる。
【図面の簡単な説明】
【００２４】
【図１】本発明の表示灯の正面図である。
【図２】その側面図である。
【図３】その背面図である。
【図４】その平面図である。
【図５】角度を変えた状態を表す正面図（ａ）と背面図（ｂ）である。
【図６】さらに角度を変えた状態を表す正面図（ａ）と背面図（ｂ）である。
【図７】ブラケットの表側（ａ）及び裏側（ｂ）を表す斜視図である。
【図８】前カバーの背面図である。
【図９】後カバーの斜視図である。
【図１０】照明灯ケースの内部を表す図である。
【図１１】組立法の説明図である。
【図１２】前後傾斜機能を備えた表示灯の説明図である。
【図１３】遊技場における設置状態を表す正面図である。
【符号の説明】
【００２５】
１        表示灯
１０        支柱
１１        支柱本体
１２        前カバー
１３        後カバー
１４        ブラケット
４０        照明灯ケース
【図１】
2006344417.tif 000003
【図２】
2006344417.tif 000004
【図３】
2006344417.tif 000005
【図４】
2006344417.tif 000006
【図５】
2006344417.tif 000007
【図６】
2006344417.tif 000008
【図７】
2006344417.tif 000009
【図８】
2006344417.tif 000010
【図９】
2006344417.tif 000011
【図１０】
2006344417.tif 000012
【図１１】
2006344417.tif 000013
【図１２】
2006344417.tif 000014
【図１３】
2006344417.tif 000015